(57)【要約】【課題】メディアセンサーを使用して用紙の特性値を測定した際に、ユーザーの理解や納得度を高める画像形成装置を提供する。【解決手段】本発明の一態様は、用紙に画像を形成する画像形成部と、用紙の特性を表す特性値を測定し、その特性値を測定値として得るメディアセンサーと、参考値決定部と、表示部とを備える。参考値決定部は、測定値に基づいて、又は、ユーザーからの指示に基づいて、測定値と比較するための参考値を決定する。表示部は、測定値と参考値とを表示する。【選択図】図６
2020123835.tif 000002
【特許請求の範囲】
【請求項１】
用紙に画像を形成する画像形成部と、
用紙の特性を表す特性値を測定し、当該測定値を測定値として得る測定器と、
前記測定値に基づいて、又は、ユーザーからの指示に基づいて、前記測定値と比較するための参考値を決定する参考値決定部と、
前記測定値と前記参考値とを表示する表示部と、を備える
画像形成装置。
【請求項２】
複数の用紙の特性値と、当該複数の用紙の特性値にそれぞれ対応付けられた用紙情報を保存する用紙データ保存部を備え、
前記参考値決定部は、前記用紙データ保存部に保存された複数の用紙の特性値から適切なものを前記参考値として決定する
請求項１に記載の画像形成装置。
【請求項３】
前記用紙データ保存部は、前記複数の用紙の特性値に、ジョブの履歴又は用紙プロファイルをそれぞれ対応付けて保存する
請求項２に記載の画像形成装置。
【請求項４】
前記用紙データ保存部は、前記複数の用紙の特性値に、ジョブの履歴をそれぞれ対応付けて保存し、
前記参考値決定部は、前記ジョブの履歴が最も新しいものが対応付けられた用紙の特性値を、前記参考値として決定する
請求項２に記載の画像形成装置。
【請求項５】
前記参考値決定部は、前記用紙データ保存部に保存された複数の用紙の特性値のうち、ユーザーが選択した用紙の特性値を、前記参考値として決定する
請求項２に記載の画像形成装置。
【請求項６】
前記測定値に対応する用紙情報を決定する用紙情報決定部を備え、
前記参考値決定部は、前記用紙データ保存部に保存された複数の用紙の特性値のうち、前記用紙情報決定部により決定された用紙情報と同じ用紙情報が対応付けられた特性値を、前記参考値として決定する
請求項２に記載の画像形成装置。
【請求項７】
前記参考値決定部は、前記用紙データ保存部に保存された複数の用紙の特性値のうち、前記測定値に最も近いものを前記参考値として決定する
請求項２に記載の画像形成装置。
【請求項８】
前記参考値決定部は、前記用紙データ保存部に保存された複数の用紙の特性値から２以上の特性値を選択し、前記参考値を２以上決定する
請求項２に記載の画像形成装置。
【請求項９】
前記用紙の特性は、複数種類あり、
前記参考値決定部は、前記用紙データ保存部に保存された複数の用紙の特性値のうち、特性の種類毎に最も近いものをそれぞれ選択し、複数の参考値として決定する
請求項８に記載の画像形成装置。
【請求項１０】
前記参考値決定部は、前記用紙データ保存部に保存された複数の用紙の特性値のうち、前記測定値よりも大きく、且つ、最も近いものと、前記測定値よりも小さく、且つ、最も近いものを選択し、複数の参考値として決定する
請求項８に記載の画像形成装置。
【請求項１１】
前記表示部は、前記測定値及び前記参考値を視覚的に表現した図として表示する
請求項１に記載の画像形成装置。
【発明の詳細な説明】
【技術分野】
【０００１】
本発明は、メディアセンサーの測定結果を利用する画像形成装置に関する。
【背景技術】
【０００２】
画像を形成する際に使用する用紙には様々な種類があり、紙種が異なれば、紙厚、平滑度、坪量等の特性が異なる。そのため、用紙の搬送系の調整値は、紙種に応じて変わる。例えば、用紙に画像を形成する際に、誤った紙種を設定してしまうと、ＪＡＭや画像不良が発生することがある。
【０００３】
そこで、測定器(メディアセンサー)で用紙の特性値を測定し、測定結果をＵＳＢ（Universal Serial Bus）などの通信媒体を介して測定器から画像形成装置に通知することが行われている。その後、画像形成装置は、予め登録されている用紙プロファイル情報の中から一致する用紙プロファイル情報を表示する。これにより、ユーザーは表示された用紙プロファイル情報を使用する給紙トレイと紐づけることで、給紙トレイに収納されている用紙の正しい紙種と坪量を設定できるようになる。
【０００４】
メディアセンサーを備えた画像形成装置は、例えば、特許文献１に記載されている。この特許文献１に記載された画像形成装置では、用紙が搬送されたときに、メディアセンサーで用紙の特性値を測定し、測定した特性値に基づいて用紙の紙種を検出する。そして、検出した紙種をタッチパネルに表示する。
【先行技術文献】
【特許文献】
【０００５】
【特許文献１】特開２０１６−１１９９７号公報
【発明の概要】
【発明が解決しようとする課題】
【０００６】
しかしながら、特許文献１に記載された画像形成装置のように、紙種のみを表示部に表示しても、ユーザーは、メディアセンサーの測定結果が正しいか否かを判断することが困難である。例えば、メディアセンサーによる測定が何らかのエラーで失敗したとしても、それをユーザーが認識することは困難である。
【０００７】
本発明は、上記の状況に鑑みてなされたものであり、メディアセンサーを使用して用紙の特性値を測定した際に、ユーザーの理解や納得度を高める画像形成装置を提供することを目的とする。
【課題を解決するための手段】
【０００８】
上記課題を解決するために、本発明の一態様の画像形成装置は、用紙に画像を形成する画像形成部と、用紙の特性を表す特性値を測定し、その特性値を測定値として得る測定器と、参考値決定部と、表示部とを備える。参考値決定部は、測定値に基づいて、又は、ユーザーからの指示に基づいて、測定値と比較するための参考値を決定する。表示部は、測定値と参考値とを表示する。
【発明の効果】
【０００９】
本発明の少なくとも一態様によれば、メディアセンサーを使用して用紙の特性値を測定した際に、ユーザーの理解や納得度を高めることができる。
上記した以外の課題、構成及び効果は、以下の実施形態の説明により明らかにされる。
【図面の簡単な説明】
【００１０】
【図１】本発明の一実施形態に係る画像形成装置の構成例を示す概略断面図である。
【図２】本発明の一実施形態に係る画像形成装置本体の制御系の構成例を示すブロック図である。
【図３】本発明が適用される画像形成装置本体のコントローラーの機能構成の例を示すブロック図である。
【図４】本発明の一実施形態に係る基本画面の例を示す図である。
【図５】本発明の一実施形態に係る自動用紙設定画面の例を示す図である。
【図６】本発明の一実施形態に係る特性値表示画面の例を示す図である。
【図７】本発明の一実施形態に係る特性値リストテーブルの例を示す図である。
【図８】本発明の一実施形態に係る個別参考値表示画面（その１）の例を示す図である。
【図９】本発明の一実施形態に係る個別参考値表示画面（その２）の例を示す図である。
【図１０】本発明の一実施形態に係る個別参考値表示画面（その３）の例を示す図である。
【図１１】本発明の一実施形態に係る参考値選択画面の例を示す図である。
【図１２】本発明の一実施形態に係る選択参考値表示画面の例を示す図である。
【図１３】本発明の一実施形態に係る用紙設定参考値表示画面の例を示す図である。
【図１４】本発明の一実施形態に係る前回ジョブ参考値表示画面の例を示す図である。
【図１５】本発明の一実施形態に係るジョブ履歴リストテーブルの例を示す図である。
【図１６】本発明の一実施形態に係るプロファイルリストテーブルの例を示す図である。
【発明を実施するための形態】
【００１１】
以下、本発明を実施するための形態（以下、「実施形態」と記述する）の例について、添付図面を参照して説明する。本明細書及び添付図面において実質的に同一の機能又は構成を有する構成要素については、同一の符号を付して重複する説明を省略する。
【００１２】
［画像形成装置の概要］
まず、本発明の一実施形態に係る画像形成装置の構成について図１〜図３を参照して説明する。
【００１３】
図１は、本発明の一実施形態に係る画像形成装置の構成例を示す概略断面図である。
画像形成装置１は、画像形成装置本体１０、大容量給紙ユニット４０、及び後処理ユニット５０が直列的に接続して構成されている。画像形成装置本体１０は、プリント機能、スキャン機能、コピー機能、ファクシミリ機能などを備えるＭＦＰ（Multi Function Printer）である。
【００１４】
（大容量給紙ユニット）
大容量給紙ユニット４０には、用紙Ｓのサイズや種類に応じて複数の給紙トレイ４１ａ〜４１ｃが設けられている。給紙トレイ４１ａ〜４１ｃを区別しない場合には「給紙トレイ４１」と記す。大容量給紙ユニット４０では、画像形成装置本体１０からの指示に基づいていずれかの給紙トレイ４１が選択される。そして不図示の給紙部により、選択された給紙トレイ４１から用紙Ｓが取り出され、画像形成装置本体１０に送られる。画像が形成される記録材として用紙を示したが、記録材は樹脂など、紙以外の材料からなるものでもよい。
【００１５】
（画像形成装置本体）
画像形成装置本体１０は、静電気を用いて画像の形成を行う電子写真方式を採用しており、例えばイエロー（Ｙ）、マゼンタ（Ｍ）、シアン（Ｃ）、ブラック（Ｋ）の４色のトナー画像を重ね合わせるタンデム形式のカラー画像形成装置である。この画像形成装置本体１０は、給紙トレイ２０ａ，２０ｂと、原稿読取部１２と、画像形成部３０と、自動原稿給送装置（ＡＤＦ：Auto Document Feeder）１１と、操作表示パネル１４とを有する。以降において、給紙トレイ２０ａ，２０ｂを区別しない場合には、給紙トレイ２０と記す。
【００１６】
また、画像形成装置本体１０には、大容量給紙ユニット４０又は給紙トレイ２０から給紙された用紙Ｓを搬送する搬送路２２が形成されている。搬送路２２には、用紙Ｓを搬送するための複数のローラー（搬送ローラー）が設けられている。
【００１７】
自動原稿給送装置１１は、原稿給紙台にセットされた原稿を、不図示の複数のローラー及び搬送ドラムによって、原稿読取部１２の読取位置即ちプラテンガラス１３（原稿台）の上面に１枚ずつ搬送する。また自動原稿給送装置１１は、原稿排出ローラーにより、搬送された原稿を自動原稿給送装置１１の原稿排出トレイに排出する。
【００１８】
画像形成部３０は、イエロー、マゼンタ、シアン、ブラックの各色のトナー画像を形成するために、４つの画像形成ユニット３１Ｙ，３１Ｍ，３１Ｃ，３１Ｋを備えている。各画像形成ユニットは、帯電部、レーザ光源等の露光部、現像部、感光体を有している。また、画像形成部３０は、画像形成ユニット３１Ｙ，３１Ｍ，３１Ｃ，３１Ｋの感光体に形成された画像が転写される中間転写ベルト３２、２次転写部３３、及び２次転写部３３の用紙搬送方向の下流側に定着部３４を備える。
【００１９】
定着部３４の用紙搬送方向の下流側で、搬送路２２が伸長して後処理ユニット５０の搬送路に接続されている。また、搬送路２２には、定着部３４の下流側で分岐して、２次転写部３３の上流側の搬送路２２に合流する反転搬送路２４が接続されている。反転搬送路２４には、用紙Ｓを反転させる反転部２３が設けられている。反転部２３は、定着部３４から搬送された用紙Ｓを反転し、反転搬送路２４を通して２次転写部３３の上流側で搬送路２２に搬送する。また、反転部２３は、反転した用紙Ｓを定着部３４の下流側の搬送路２２に戻してそのまま後処理ユニット５０に搬送することもできる。
【００２０】
画像形成装置本体１０の上部には、操作表示パネル１４が設置されている。操作表示パネル１４は、情報を表示する表示部１４ａと、ジョブ（画像形成処理）の開始等を指示する操作部１４ｂを備えている（図２参照）。表示部１４ａは、例えばＬＣＤ（Liquid Crystal Display）パネルで構成されている。操作部１４ｂは、タッチ操作による入力が可能なタッチパネルで構成されており、表示部１４ａのＬＣＤパネルにタッチパネルが積層されている。なお、操作部１４ｂをマウスやキーボード、タブレットなどで構成し、表示部１４ａとは別体で構成することも可能である。
【００２１】
画像形成装置本体１０は、画像形成モードにおいて、画像形成ユニット３１Ｙ，３１Ｍ，３１Ｃ，３１Ｋが有する感光体を帯電させると共に原稿画像に合わせて感光体の表面を露光し、感光体に静電潜像を形成する。そして、イエロー、マゼンタ、シアン、ブラックの各々に対応する感光体の静電潜像に対し現像部を用いてトナーを付着させ、各色のトナー画像を形成する。次に、イエロー、マゼンタ、シアン、ブラックの感光体に形成されたトナー画像を、回転駆動する中間転写ベルト３２の表面に順次、１次転写する。
【００２２】
次に、２次転写部３３（２次転写ローラー）により、中間転写ベルト３２上に１次転写された各色のトナー画像を、大容量給紙ユニット４０から供給された用紙Ｓに２次転写する。中間転写ベルト３２上の各色のトナー画像が用紙Ｓに２次転写されることにより、カラー画像が形成される。画像形成装置本体１０は、カラーのトナー画像が形成された用紙Ｓを定着部３４へ排出する。
【００２３】
定着部３４は、画像形成装置本体１０から供給される、カラーのトナー画像が形成された用紙Ｓに定着処理を行う装置である。定着部３４は、搬送された用紙Ｓを加圧及び加熱して、転写されたトナー画像を用紙Ｓに定着させる。定着部３４は、例えば、定着部材である定着上ローラー及び定着下ローラーで構成されている。定着上ローラー及び定着下ローラーは、互いに圧接した状態で配置されており、定着上ローラーと定着下ローラーとの圧接部として定着ニップ部が形成される。
【００２４】
定着上ローラーの内部には、加熱部が設けられている。この加熱部からの輻射熱により定着上ローラーの外周部にあるローラー部が温められる。用紙Ｓは、２次転写部３３によりトナー画像が転写された面（定着対象面）が定着上ローラーと向き合うように定着ニップ部に搬送される。定着ニップ部を通過する用紙Ｓには、定着上ローラーと定着下ローラーとによる加圧と、定着上ローラーのローラー部の熱による加熱が行われる。定着部３４により定着処理が行われた用紙Ｓは、後処理ユニット５０に排出される。
【００２５】
画像形成装置本体１０には、メディアセンサーＭＳに接続されている。メディアセンサーＭＳは、ＵＳＢ（Universal Serial Bus）などの通信媒体を介して画像形成装置本体１０と相互に通信可能である。このメディアセンサーは、挿入された１又は複数の用紙Ｓの平面に光を照射する光照射部と、この照射された光の用紙Ｓを透過し用紙Ｓ間から漏れる光を用紙Ｓの端面で受光する漏れ光検出部と、漏れ光の光強度から得られた電気信号から、挿入された用紙Ｓの種類を識別する紙種識別部と、を備える。
【００２６】
メディアセンサーＭＳに形成された挿入口に用紙Ｓを挿入すると、メディアセンサーＭＳは、用紙Ｓの特性を測定し、測定結果を画像形成装置本体１０に送信する。測定結果には、すくなくとも用紙Ｓの特性値、用紙Ｓの種類（以下「用紙種類」とも称す）と、坪量とが含まれる。
【００２７】
（後処理ユニット）
後処理ユニット５０は、搬送された用紙Ｓに対してジョブに基づく所定の処理を行う後処理部５１を備え、後処理を施した用紙Ｓを排紙トレイ５３へ排出する。後処理部５１は、例えば複数の用紙Ｓをステープルにより綴じるステープル部、用紙Ｓに孔明けを行うパンチ部、用紙Ｓを折る折り処理部、用紙Ｓを特定の規則に従って分類するソート部、又は複数の用紙Ｓをスタックするスタック部である。
【００２８】
［画像形成装置本体の制御系］
図２は、画像形成装置本体１０の制御系の構成例を示すブロック図である。
画像形成装置本体１０は、コントローラー３５、操作表示パネル１４、原稿読取部１２、画像形成部３０、ファクシミリ部１５、ネットワークＩ／Ｆ１６、ＨＤＤ１７、ＵＳＢ Ｉ／Ｆ１８、及びシリアルＩ／Ｆ１９を備える。画像形成装置本体１０内の各部は、システムバスを介して相互にデータの送受信が可能に接続されている。
【００２９】
コントローラー３５は、ＣＰＵ（Central Processing Unit）３５ａ、ＲＯＭ（Read Only Memory）３５ｂ、及びＲＡＭ（Random Access Memory）３５ｃを備える。ＣＰＵ３５ａ、ＲＯＭ３５ｂ、及びＲＡＭ３５ｃは制御部を構成する。このコントローラー３５は、画像形成装置本体１０内の各部の動作、大容量給紙ユニット４０、及び後処理ユニット５０を制御するコンピューターの一例として用いられる。ＣＰＵ３５ａは、本実施形態に係る各機能を実現するソフトウェアのプログラムコードをＲＯＭ３５ｂから読み出して実行し、各部の制御や各種の演算を行う。これらのハードウェアとソフトウェアが協働することで画像形成装置１の機能が実現される。なお、ＣＰＵ３５ａに代えて、ＭＰＵ（Micro Processing Unit）等の他の演算処理装置を演算部として用いてもよい。
【００３０】
ＲＯＭ３５ｂは、不揮発性メモリ（記録媒体）の一例として用いられ、ＣＰＵ３５ａが動作するために必要なプログラムやデータ等を記憶している。ＲＡＭ３５ｃは、揮発性メモリの一例として用いられ、ＣＰＵ３５ａが行う各処理に必要な情報（データ）やＣＰＵ３５ａによる演算処理の途中に発生した変数やパラメータ等を一時的に記憶する。
【００３１】
操作表示パネル１４は、表示部１４ａと操作部１４ｂを備える。表示部１４ａは、例えば液晶ディスプレイモニタであり、ＣＰＵ３５ａで行われる処理の結果等、各種の情報を表示する。操作部１４ｂには、例えばタッチパネル等のポインティングデバイスが用いられ、ユーザーがタッチ操作を行い、指示を入力することが可能である。
【００３２】
原稿読取部１２は、コントローラー３５の制御の下で、画像形成装置本体１０の原稿給紙台にセットされた原稿の表面を読み取ってＨＤＤ１７などに記憶する機能を有する。
【００３３】
画像形成部３０は、コントローラー３５の制御の下で、給紙された用紙Ｓに画像を形成して排紙する機能を有する。
【００３４】
ファクシミリ部１５は、コントローラー３５の制御の下で、ネットワークＩ／Ｆ１６を介して、指定された外部機器との間で画像を送信及び受信する機能を有する。
【００３５】
ネットワークＩ／Ｆ１６は、例えばＮＩＣ（Network Interface Card）やモデム等で構成され、ＬＡＮ等のネットワークを介して通信相手の装置との接続を確立し、各種データの送受信を実行する。
【００３６】
ＨＤＤ１７は、外部記憶装置の一例であり、ＣＰＵ３５ａが各部を制御するためのプログラム、ＯＳ（Operating System）等のプログラム、及びテーブル、ファイルなどを記憶する。ＨＤＤに代えて、ＳＳＤ（Solid State Drive）などの他の外部記憶装置を用いてもよい。なお、プログラムは、ＬＡＮ、インターネット、デジタル衛星放送といった、有線または無線の伝送媒体を介して提供されてもよい。
【００３７】
ＵＳＢ Ｉ／Ｆ１８は、ＵＳＢの接続規格に準拠したインターフェースであり、メディアセンサーＭＳ等の外部機器を着脱することができるように構成されている。本実施形態では、ＵＳＢ Ｉ／Ｆ１８に、メディアセンサーＭＳが接続される。なお、ＵＳＢ Ｉ／Ｆ１８には、測定精度が異なる複数のメディアセンサーＭＳを接続してもよい。
【００３８】
シリアルＩ／Ｆ１９は、シリアル通信により外部機器と通信を行うインターフェースである。例えば、画像形成装置本体１０は、シリアルＩ／Ｆ１９を介して、大容量給紙ユニット４０及び後処理ユニット５０とデータ通信を行う。
【００３９】
［コントローラーの構成］
図３は、画像形成装置本体１０のコントローラー３５の機能構成の例を示すブロック図である。
コントローラー３５は、画像生成部３５１、通信制御部３５２、用紙情報指示部３５３、用紙データ保存部３５４、参考値決定部３５５、トレイ情報保存部３５６、ジョブ履歴保存部３５７、表示制御部３５８、及び印刷制御部３５９を備える。コントローラー３５のＣＰＵ３５ａが、ＲＯＭ３５ｂに記憶されたプログラムを実行することにより、図３に示す各部の機能が実現される。
【００４０】
画像生成部３５１は、画像形成装置本体１０に入力されたジョブの画像（ベクター画像）にラスタライズ処理や画像処理を実施し、指定された給紙トレイから給紙される用紙Ｓに印刷する画像（ラスター画像）を生成する処理を行うように構成されている。
【００４１】
通信制御部３５２は、メディアセンサーＭＳや端末装置などの外部機器との通信を制御するように構成されている。通信制御部３５２は、ＵＳＢ Ｉ／Ｆ１８を介して、メディアセンサーＭＳと通信することが可能である。
【００４２】
用紙情報指示部３５３は、用紙の特性値を測定することをユーザーにより指示されたかどうかを検知する。また、用紙情報指示部３５３は、用紙Ｓの特性値の測定を指示された場合に、通信制御部３５２に対してメディアセンサーＭＳと通信を行う指令を出力するように構成されている。
【００４３】
用紙データ保存部３５４には、複数の特性値と、用紙情報と、ジョブＩＤと、プロファイルＮｏ.とを対応付けたデータテーブルが保存されている。以下、用紙データ保存部３５４に保存されたデータテーブルを、特性値リストテーブルとする。なお、特性値リストテーブルについては、図７を用いて後で説明する。
【００４４】
用紙データ保存部３５４は、ＲＡＭ３５ｃ、及びＲＡＭ３５ｃに対するデータの読み書きを行う処理部により構成することができる。また、用紙データ保存部３５４は、ＥＥＰＲＯＭ（Electrically Erasable Programmable ROM）のような内容を消去及び書き換えが可能なＲＯＭ、又はＨＤＤ１７により構成してもよい。
【００４５】
参考値決定部３５５は、メディアセンサーＭＳにより測定した用紙の特性値（以下、「測定値」とする）、又は、ユーザーからの指示に基づいて参考値を決定する処理を行うように構成されている。ユーザーからの指示は、操作表示パネル１４により入力される。測定値及び参考値は、操作表示パネル１４に表示される。参考値は、測定値の妥当性の確認や納得性を向上させるために参考にする値である。参考値決定部３５５による参考値を決定する処理については、後で説明する。
【００４６】
トレイ情報保存部３５６は、用紙Ｓの特性情報を給紙トレイと紐づけて、給紙トレイの情報として記憶するように構成されている。トレイ情報保存部３５６は、ＲＡＭ３５ｃ、及びＲＡＭ３５ｃに対するデータの読み書きを行う処理部により構成することができる。ＲＡＭ３５ｃに代えて、ＥＥＰＲＯＭのような内容を消去及び書き換えが可能なＲＯＭ、又はＨＤＤ１７に給紙トレイの情報を記憶するようにしてもよい。
【００４７】
ジョブ履歴保存部３５７には、ジョブＩＤと、日時と、用紙情報等を対応付けたデータテーブルが保存されている。以下、ジョブ履歴保存部３５７に保存されたデータテーブルを、ジョブ履歴リストテーブルとする。なお、ジョブ履歴リストテーブルについては、図１５を用いて後で説明する。
【００４８】
ジョブ履歴保存部３５７は、ＲＡＭ３５ｃ、及びＲＡＭ３５ｃに対するデータの読み書きを行う処理部により構成することができる。また、ジョブ履歴保存部３５７は、ＥＥＰＲＯＭのような内容を消去及び書き換えが可能なＲＯＭ、又はＨＤＤ１７により構成してもよい。
【００４９】
表示制御部３５８は、操作表示パネル１４に測定値及び参考値等を表示する処理を行うように構成されている。また、表示制御部３５８は、操作表示パネル１４に対する入力操作の内容を解析する処理を行う。
【００５０】
印刷制御部３５９（印刷制御部の一例）は、画像生成部３５１により生成された画像を、トレイ情報保存部３５６に記憶された給紙トレイの情報に応じて用紙に印刷する制御を行うように構成されている。
【００５１】
＜特性値の測定＞
次に、メディアセンサーＭＳによって特性値を測定する場合に、操作表示パネル１４に表示される画面について説明する。
【００５２】
［基本画面］
図４は、本発明の一実施形態に係る基本画面の例を示す図である。
図４に示すように、基本画面６０には、ジョブ表示エリアと、用紙トレイ表示エリアと、補給／廃棄部材表示エリアがある。
【００５３】
ジョブ表示エリアには、現在受付済みのジョブの「Ｎｏ.」、「モード」、「状態」、「時間（分）」、「ユーザー名」が表示される。「Ｎｏ.」は、各ジョブを受け付けたときに付される番号である。「状態」は、各ジョブに対応する印刷の状態であり、例えば、「実行中」や「待機中」が表示される。「時間（分）」は、各ジョブを受け付けた時間である。「ユーザー名」は、各ジョブを指令したユーザーの名前である。
【００５４】
用紙トレイ表示エリアには、各給紙トレイの情報が表示される。各給紙トレイの情報の情報としては、「トレイ番号」（図４では「トレイ」と表記）、「サイズ」、「用紙種類」、「坪量設定値」がある。
【００５５】
「トレイ番号」は、画像形成装置１が備える給紙トレイのそれぞれに割り当てられた番号である。例えば、給紙トレイ２０ａ（図１参照）にトレイ番号“１”、給紙トレイ２０ｂにトレイ番号“２”、給紙トレイ４１ａにトレイ番号“３”、給紙トレイ４１ｂにトレイ番号“４”、及び給紙トレイ４１ｃにトレイ番号“５”を割り当てる。
【００５６】
「サイズ」、「用紙種類」、「坪量設定値」は、各トレイ番号が割り当てられた給紙トレイに収容された用紙Ｓの情報である。「サイズ」は用紙Ｓの大きさであり、「用紙種類」は、用紙Ｓの種類、所謂「紙種」と称されるものである。「坪量設定値」は、実際に測定された坪量ではなく、印刷（画像形成）を行う際の条件として使用する情報であり、適当な範囲で表される。
【００５７】
補給／廃棄部材表示エリアには、各色のトナー（Ｙ（イエロー）、Ｍ（マゼンタ）、Ｃ（シアン）、Ｋ（ブラック））の補給が必要であるか否かと、廃棄トナーボックスの交換が必要か否かを表示する。
【００５８】
また、基本画面６０には、用紙設定ボタン６１及び自動用紙設定ボタン６２のアイコンが表示される。用紙設定ボタン６１を押下すると、ユーザーが指定した給紙トレイの情報を手動で設定するための画面（不図示）に遷移する。また、自動用紙設定ボタン６２を押下すると、図５に示すような自動用紙設定画面が表示され、メディアセンサーＭＳによる用紙Ｓの測定が可能になる。
【００５９】
［自動用紙設定画面］
図５は、本発明の一実施形態に係る自動用紙設定画面の例を示す図である。
図５に示すように、自動用紙設定画面７０には、メディアセンサーＭＳによる用紙Ｓの測定結果（検出結果）が表示される。
【００６０】
用紙Ｓの測定結果（検出結果）としては、「推奨度」、「用紙種類」、「坪量設定値」を表示し、用紙種類の候補を示す。ユーザーは、表示された用紙種類の候補が妥当であるか否かを判定し、妥当であれば、ＯＫボタン７１を押下する。これにより、自動用紙設定画面７０に表示された用紙種類の候補が、該当する給紙トレイ（本例ではトレイ番号“１”の給紙トレイ２０ａ）に収容された用紙の用紙種類として設定される。
【００６１】
一方、ユーザーが、表示された用紙種類の候補が妥当でないと判定した場合は、例えば、メディアセンサーＭＳによる用紙Ｓの測定を再び行う。また、ユーザーが用紙Ｓの用紙種類を把握している場合は、該当する給紙トレイの情報を手動で設定してもよい。
【００６２】
図５に示す例では、用紙種類（坪量設定値）の候補を１つ表示しているが、用紙種類の候補が複数ある場合は、「推奨度」の高いもの（「０１」が最も高い）を上から順に並べて表示する。
【００６３】
複数の用紙種類の候補が表示された場合に、ユーザーは、妥当であると判定した用紙種類の候補を選択し、ＯＫボタン７１を押下する。これにより、選択した用紙種類の候補が、該当する給紙トレイ（本例ではトレイ番号“１”の給紙トレイ２０ａ）に収容された用紙の用紙種類として設定される。また、ユーザーが、いずれの用紙種類の候補も妥当でないと判定した場合は、上述したように、用紙Ｓの測定を再び行う、又は、該当する給紙トレイの情報を手動で設定する。
【００６４】
また、自動用紙設定画面７０には、測定値結果ボタン７２のアイコンが表示される。測定値結果ボタン７２を押下すると、測定値及び参考値を表示する特性値表示画面（図６参照）が表示される。ユーザーは、測定値及び参考値を、用紙種類の候補の妥当性を判断する際の材料にすることができる。
【００６５】
［特性値表示画面］
図６は、本発明の一実施形態に係る特性値表示画面の例を示す図である。
図６に示すように、特性値表示画面８０には、測定した用紙Ｓの用紙種類の候補と、測定値と、参考値と、測定値及び参考値のレーダーチャートとが表示される。
【００６６】
測定した用紙Ｓの用紙種類の候補は、特性値表示画面８０の左上部に表示される。この測定した用紙Ｓの用紙種類の候補は、図５に示す自動用紙設定画面７０に表示された用紙種類の候補と同じである。また、測定した用紙Ｓの特性値（測定値）は、特性値表示画面８０における上下方向の略中央部に表示される。
【００６７】
本実施形態では、測定した用紙Ｓの特性の種類として「坪量」、「平滑度」、「紙厚」を表示する。「坪量」は、メディアセンサーＭＳによって実際に測定した値であるため、固定値であり、印刷（画像形成）を行う際の条件として使用する情報ではない。「平滑度」は、用紙Ｓの表裏面の滑らかさの度合いを示す数値であり、滑らか（平滑）であるほど、大きい値になる。「紙厚」は、用紙Ｓの厚さを示す数値である。
【００６８】
特性値表示画面８０に表示される参考値は、参考値決定部３５５（図３参照）が、用紙データ保存部３５４に保存された特性値リストテーブル（図７参照）を参照し、測定値に基づいて決定する。この参考値を決定する処理については、後で図７を参照して説明する。
【００６９】
測定値及び参考値のレーダーチャートは、特性値表示画面８０の右上部に表示される。上述したように、本実施形態では、「坪量」、「平滑度」、「紙厚」の測定値を表示するため、三角形のレーダーチャートが表示される。測定値を示す三角形と、参考値を示す三角形の形が近いほど、特性が近いことを示す。
【００７０】
［特性値リストテーブル］
図７は、本発明の一実施形態に係る特性値リストテーブルの例を示す図である。
図７に示すように、特性値リストテーブルは、複数の特性値と、各特性値に対応付けられた用紙情報、ジョブＩＤ、及びプロファイルＮｏ.を有している。
【００７１】
特性の種類としては、「坪量」、「平滑度」、「紙厚」が規定されており、用紙情報としては、「名称」、「紙種」、「坪量設定値」が規定されている。ジョブＩＤは、各ジョブに対して割り振られるＩＤのことである。画像形成装置１には、用紙設定を保存しておけるプロファイルという機能がある。プロファイルＮｏ.は、各プロファイルに対して付される識別子である。
【００７２】
例えば、特性値リストテーブルのＮｏ.１の特性値は、「坪量」が６７（ｇ／ｍ２）、「平滑度」が３５０（秒）、「紙厚」が１０（μｍ）である。そして、この特性値に対応付けられた用紙情報は、「名称」がＯＫトップ、「紙種」が普通（紙）、「坪量設定値」が６５−７５（ｇ／ｍ２）である。
【００７３】
本実施形態では、メディアセンサーＭＳにより用紙Ｓの特性値を測定し、その用紙Ｓを使用するジョブが出力されると、測定した特性値とその用紙情報が、特性値リストテーブルに追加される。このとき、ジョブにプロファイルが設定されていなければ、対応するプロファイルＮｏ.が空値（ＮＵＬＬ）となる。
【００７４】
また、本実施形態では、メディアセンサーＭＳにより用紙Ｓの特性値を測定し、測定した特性値、及び特性値に対応付けられた用紙情報を、プロファイルとして登録すると、測定した特性値とその用紙情報が、特性値リストテーブルに追加される。
【００７５】
［参考値決定処理］
次に、特性値表示画面８０に表示される参考値の決定処理について説明する。
参考値決定部３５５（図３参照）は、特性値リストテーブルに保存された複数の特性値のうち、メディアセンサーＭＳにより測定した測定値（特性値）との距離が最も短いものを参考値として決定する。
【００７６】
測定値を最大値で正規化したものをＸａ，Ｘｂ，Ｘｃ…（ａ，ｂ，ｃ…は特性の種類に応じて増える）、特性値リストテーブルの特性値を最大値で正規化したものをＹａ，Ｙｂ，Ｙｃ…（ａ，ｂ，ｃ…は特性の種類に応じて増える）とした場合に、測定値Ｘと特性値Ｙとの距離ｄは、次の数式（１）により算出する。
【００７７】
【数１】
2020123835.tif 000003
【００７８】
上記数式（１）によって距離ｄを算出すると、測定値（６９，４８０，３０）との距離が最も短いものは、図７に示す特性値リストテーブルのＮｏ.６に保存された特性値（７０，４７５，４５）となる。したがって、図６に示す特性値表示画面８０には、図７に示す特性値リストテーブルのＮｏ.６に保存された特性値が、参考値として表示される。また、特性値表示画面８０には、特性値リストテーブルのＮｏ.６に保存された特性値に対応付けられた用紙情報（用紙種類、坪量設定値、用紙名称）が表示される。
【００７９】
また、特性値表示画面８０には、個別参考値表示ボタン８１と、参考値ユーザー指定ボタン８２と、用紙設定参考値ボタン８３と、前回ジョブボタン８４のアイコンが表示される。
【００８０】
個別参考値表示ボタン８１を押下すると、個別参考値表示画面（図８〜図１０参照）が表示される。参考値ユーザー指定ボタン８２を押下すると、参考値選択画面（図１１参照）が表示される。用紙設定参考値ボタン８３を押下すると、用紙設定参考値表示画面（図１３参照）が表示される。また、前回ジョブボタン８４を押下すると、前回ジョブ参考値表示画面（図１４参照）が表示される。
【００８１】
［個別参考値表示画面］
図８は、本発明の一実施形態に係る個別参考値表示画面（その１）の例を示す図である。図９は、本発明の一実施形態に係る個別参考値表示画面（その２）の例を示す図である。図１０は、本発明の一実施形態に係る個別参考値表示画面（その３）の例を示す図である。
【００８２】
個別参考値表示ボタン８１を押下すると、参考値決定部３５５（図３参照）は、特性の種類毎に最も近いものを、特性値リストテーブル（図７参照）から選択し、選択した特性値を参考値として決定する。そして、個別参考値表示ボタン８１を押下する度に、対照となる特性の種類を切り替える。
【００８３】
図８に示す個別参考値表示画面９０Ａは、特性値表示画面８０（図６参照）において、個別参考値表示ボタン８１を押下した場合に表示され、対照となる特性の種類が「坪量」になる。なお、個別参考値表示画面９０Ａに表示される用紙Ｓの用紙種類の候補、及び測定値は、図６に示すものと同じである。
【００８４】
測定値の「坪量」は、６９（ｇ／ｍ２）である。そして、特性値リストテーブルにおいて、測定値の「坪量」に最も近い「坪量」は、Ｎｏ.６の特性値の「坪量」である（７０（ｇ／ｍ２））。したがって、参考値決定部３５５は、特性値リストテーブルのＮｏ.６の特性値を参考値として決定する。そして、表示制御部３５８は、参考値決定部３５５により決定した参考値を個別参考値表示画面９０Ａに表示させる。
【００８５】
このとき、対照となる特性の種類が「坪量」であることを強調するために、他の特性の種類（「平滑度」と「紙厚」）の表示を、「坪量」の表示よりも暗くする。また、個別参考値表示画面９０Ａには、測定値の「坪量」と参考値の「坪量」を、視覚的に表現した図（インジケータ）を表示する。これにより、ユーザーは、測定値の「坪量」と参考値の「坪量」がどのくらい近似しているか、また、測定値の「坪量」に対する参考値の「坪量」の大小を視覚的に把握することができる。
【００８６】
図９に示す個別参考値表示画面９０Ｂは、個別参考値表示画面９０Ａ（図８参照）において、個別参考値表示ボタン８１を押下した場合に表示され、対照となる特性の種類が「平滑度」になる。なお、個別参考値表示画面９０Ｂに表示される用紙Ｓの用紙種類の候補、及び測定値は、図６及び図８に示すものと同じである。
【００８７】
測定値の「平滑度」は、４８０（秒）である。そして、特性値リストテーブルにおいて、測定値の「平滑度」に最も近い「平滑度」は、Ｎｏ.６の特性値の「平滑度」である（４７５（秒））。したがって、参考値決定部３５５は、特性値リストテーブルのＮｏ.６の特性値を参考値として決定する。そして、表示制御部３５８は、参考値決定部３５５により決定した参考値を個別参考値表示画面９０Ｂに表示させる。
【００８８】
このとき、対照となる特性の種類が「平滑度」であることを強調するために、他の特性の種類（「坪量」と「紙厚」）の表示を、「平滑度」の表示よりも暗くする。また、個別参考値表示画面９０Ｂには、測定値の「平滑度」と参考値の「平滑度」を、視覚的に表現した図（インジケータ）を表示する。これにより、ユーザーは、測定値の「平滑度」と参考値の「平滑度」がどのくらい近似しているか、また、測定値の「平滑度」と参考値の「平滑度」のどちらが滑らかであるかを視覚的に把握することができる。
【００８９】
図１０に示す個別参考値表示画面９０Ｃは、個別参考値表示画面９０Ｂ（図９参照）に表示された個別参考値表示ボタン８１を押下した場合に表示され、対照となる特性の種類が「紙厚」になる。なお、個別参考値表示画面９０Ｃに表示される用紙Ｓの用紙種類の候補、及び測定値は、図６、図８及び図９に示すものと同じである。
【００９０】
測定値の「紙厚」は、３０（μｍ）である。そして、特性値リストテーブルにおいて、測定値の「紙厚」に最も近い「紙厚」は、Ｎｏ.３の特性値の「紙厚」である（２２（μｍ））。したがって、参考値決定部３５５は、特性値リストテーブルのＮｏ.３の特性値を参考値として決定する。そして、表示制御部３５８は、参考値決定部３５５により決定した参考値を個別参考値表示画面９０Ｃに表示させる。
【００９１】
このとき、対照となる特性の種類が「紙厚」であることを強調するために、他の特性の種類（「坪量」と「平滑度」）の表示を、「紙厚」の表示よりも暗くする。また、個別参考値表示画面９０Ｃには、測定値の「紙厚」と参考値の「紙厚」を、視覚的に表現した図（インジケータ）を表示する。これにより、ユーザーは、測定値の「紙厚」と参考値の「紙厚」がどのくらい近似しているか、また、測定値の「紙厚」と参考値の「紙厚」のどちらが厚いか（或いは薄いか）を視覚的に把握することができる。
【００９２】
本実施形態では、参考値決定部が、対照となる特性の種類の値が最も近い特性値を、参考値として決定した。しかし、本発明に係る参考値決定部としては、対照となる特性の種類の値が測定値よりも大きく、且つ、最も近い特性値と、対照となる特性の種類の値が測定値よりも小さく、且つ、最も近い特性値を、参考値として決定してもよい。この場合は、測定値の下に２つの参考値が上下方向に並べて表示される。この場合は、測定値の比較対照が多くなるため、ユーザーの判断材料が増え、用紙種類の候補の妥当性を判定し易くすることができる。
【００９３】
［参考値選択画面］
図１１は、本発明の一実施形態に係る参考値選択画面の例を示す図である。
上述したように、参考値ユーザー指定ボタン８２を押下すると、図１１に示す参考値選択画面１００が表示される。
【００９４】
参考値選択画面１００は、前述した特性値リストテーブル（図７参照）と同じ内容を表示するものであり、複数の特性値と、各特性値に対応付けられた用紙情報、ジョブＩＤ、及びプロファイルＮｏ.を表示する。ユーザーは、参考値選択画面１００に表示された特性値から参考値とする特性値を選択する。図１１では、Ｎｏ.１とＮｏ.５が選択された状態を示している。
【００９５】
また、参考値選択画面１００には、ＯＫボタン１０１及び戻るボタン１０２のアイコンが表示される。参考値とする特性値を選択した後、ＯＫボタン１０１を押下すると、図１２に示すような選択参考値表示画面が表示される。一方、戻るボタン１０２を押下すると、図６に示す特性値表示画面８０が表示される。
【００９６】
［選択参考値表示画面］
図１２は、本発明の一実施形態に係る選択参考値表示画面の例を示す図である。
図１２に示すように、選択参考値表示画面１１０には、測定した用紙Ｓの用紙種類の候補と、測定値と、参考値と、測定値及び参考値のレーダーチャートとが表示される。
【００９７】
測定した用紙Ｓの用紙種類の候補は、選択参考値表示画面１１０の左上部に表示され、測定値は、選択参考値表示画面１１０における上下方向の略中央部に表示される。なお、用紙Ｓの用紙種類の候補、及び測定値は、図６等に示すものと同じである。
【００９８】
上述したように、選択参考値表示画面１１０に表示される参考値は、参考値選択画面１００（図１１参照）においてユーザーが選択する。本実施形態では、ユーザーがＮｏ.１とＮｏ.５の特性値を参考値として選択したため、選択参考値表示画面１１０には、２つの参考値（参考値１と参考値２）が表示される。その結果、ユーザーは、自らが選択した参考値と、メディアセンサーＭＳによる測定値とを比較し、用紙種類の候補の妥当性を判定することができる。
【００９９】
測定値及び参考値（参考値１と参考値２）のレーダーチャートは、選択参考値表示画面１１０の右上部に表示される。上述したように、本実施形態では、「坪量」、「平滑度」、「紙厚」の測定値を表示するため、三角形のレーダーチャートが表示される。測定値を示す三角形と、参考値（参考値１と参考値２）を示す三角形の形が近いほど、特性が近いことを示す。
【０１００】
［用紙設定参考値表示画面］
図１３は、本発明の一実施形態に係る用紙設定参考値表示画面の例を示す図である。
上述したように、用紙設定参考値ボタン８３を押下すると、図１３に示す用紙設定参考値表示画面１２０が表示される。
【０１０１】
図１３に示すように、用紙設定参考値表示画面１２０には、測定した用紙Ｓの用紙種類の候補と、測定値と、参考値と、測定値及び参考値のレーダーチャートとが表示される。測定した用紙Ｓの用紙種類の候補は、用紙設定参考値表示画面１２０の左上部に表示され、測定値は、用紙設定参考値表示画面１２０における上下方向の略中央部に表示される。なお、用紙Ｓの用紙種類の候補、及び測定値は、図６等に示すものと同じである。
【０１０２】
用紙設定参考値表示画面１２０に表示される参考値は、参考値決定部３５５（図３参照）が、用紙データ保存部３５４に保存された特性値リストテーブル（図７参照）を参照し、測定値に基づいて決定する。具体的に、参考値決定部３５５は、特性値リストテーブルに保存された複数の特性値のうち、メディアセンサーＭＳにより測定した測定値と用紙種類及び坪量設定値が同一のものを参考値として決定する。
【０１０３】
本実施形態では、特性値リストテーブルのＮｏ.２に保存された特性値に対応付けられた用紙種類及び坪量設定値が、それぞれ「上質紙」及び「６５−７５ｇ／ｍ２」であり、測定値の用紙種類及び坪量設定値と同一である。したがって、用紙設定参考値表示画面１２０には、特性値リストテーブルのＮｏ.６に保存された特性値が、参考値として表示される。また、用紙設定参考値表示画面１２０には、特性値リストテーブルのＮｏ.６に保存された特性値に対応付けられた用紙情報（用紙種類、坪量設定値、用紙名称）が表示される。
【０１０４】
なお、測定値と用紙種類及び坪量設定値が同一のものが無い場合は、参考値の各欄に「−」が表示される。また、本発明に係る場像形成装置としては、測定値と用紙種類及び坪量設定値が同一のものが無い場合に、「参考値はありません」などの文章を表示して、用紙設定参考値ボタン８３を押下した場合に表示される参考値が無いことを報知するようにしてもよい。
【０１０５】
測定値及び参考値のレーダーチャートは、用紙設定参考値表示画面１２０の右上部に表示される。上述したように、本実施形態では、「坪量」、「平滑度」、「紙厚」の測定値を表示するため、三角形のレーダーチャートが表示される。測定値を示す三角形と、参考値を示す三角形の形が近いほど、特性が近いことを示す。
【０１０６】
［前回ジョブ参考値表示画面］
図１４は、本発明の一実施形態に係る前回ジョブ参考値表示画面の例を示す図である。
上述したように、前回ジョブボタン８４を押下すると、図１４に示す前回ジョブ参考値表示画面１３０が表示される。
【０１０７】
図１４に示すように、前回ジョブ参考値表示画面１３０には、測定した用紙Ｓの用紙種類の候補と、測定値と、参考値と、測定値及び参考値のレーダーチャートとが表示される。測定した用紙Ｓの用紙種類の候補は、用紙設定参考値表示画面１２０の左上部に表示され、測定値は、用紙設定参考値表示画面１２０における上下方向の略中央部に表示される。なお、用紙Ｓの用紙種類の候補、及び測定値は、図６等に示すものと同じである。
【０１０８】
前回ジョブ参考値表示画面１３０に表示される参考値は、参考値決定部３５５（図３参照）が、ジョブ履歴保存部３５７に保存されたジョブ履歴リストテーブル（図１５参照）を参照し、前回実行されたジョブで使用された用紙Ｓの特性値を参考値として決定する。すなわち、参考値決定部３５５は、ユーザーからの指示に基づいて参考値を決定する。
【０１０９】
測定値及び参考値のレーダーチャートは、前回ジョブ参考値表示画面１３０の右上部に表示される。上述したように、本実施形態では、「坪量」、「平滑度」、「紙厚」の測定値を表示するため、三角形のレーダーチャートが表示される。測定値を示す三角形と、参考値を示す三角形の形が近いほど、特性が近いことを示す。
【０１１０】
［ジョブ履歴リストテーブル］
図１５は、本発明の一実施形態に係るジョブ履歴リストテーブルの例を示す図である。
図１５に示すように、ジョブ履歴リストテーブルは、ジョブＩＤと、日時と、用紙情報と、出力設定との対応関係を規定する。
【０１１１】
日時は、ジョブＩＤに対応するジョブが実行された日時であり、出力設定は、ジョブＩＤに対応するジョブにおいて設定された後処理の情報である。例えば、ジョブ履歴リストテーブルのジョブＩＤ「１２２」は、実行された日時が「２０１８/１１/１ １９：００」であり、用紙情報は、「名称」がＯＫトップ、「紙種」が普通（紙）、「坪量設定値」が６５−７５（ｇ／ｍ２）である。また、ジョブＩＤ「１２２」は、出力設定が「無線綴じ」である。
【０１１２】
本実施形態では、メディアセンサーＭＳにより用紙Ｓの特性値を測定し、その用紙Ｓを使用するジョブが出力されると、そのジョブＩＤと、日時と、用紙情報と、出力設定が、ジョブ履歴リストテーブルに追加される。
【０１１３】
前回ジョブボタン８４（図１４参照）が押下されると、参考値決定部３５５（図３参照）が、ジョブ履歴保存部３５７に保存されたジョブ履歴リストテーブルに日時を参照し、直近で実行されたジョブＩＤを特定する。そして、特性値リストテーブル（図７参照）を参照し、特定したジョブＩＤに対応する特性値を参考値として決定する。
【０１１４】
図１５に示すように、最も遅い（直近の）日時は、「２０１８/１１/１３ １４：００」であり、この日時に対応するジョブＩＤは、ジョブＩＤ「５７」である。したがって、参考値決定部３５５は、特性値リストテーブルのジョブＩＤ「５７」に対応する特性値（１１０，５００，４０）を参考値として決定する。そして、表示制御部３５８は、参考値決定部３５５により決定した参考値を前回ジョブ参考値表示画面１３０に表示させる。
【０１１５】
また、図１１に示す参考値選択画面１００において、各ジョブＩＤが表示された欄（エリア）を押下すると、コントローラー３５は、ジョブ履歴リストテーブルを参照して、押下されたジョブＩＤに対応する日時、用紙情報、及び出力設定を得る。そして、表示制御部３５８は、ジョブＩＤと、それに対応する日時、用紙情報、及び出力設定を表示部１４ａに表示させる。これにより、ユーザーは、ジョブに関わる情報を確認することができる。
【０１１６】
［プロファイルリストテーブル］
図１６は、本発明の一実施形態に係るプロファイルリストテーブルの例を示す図である。
上述の用紙データ保存部３５４には、プロファイルリストテーブルが保存されている。
【０１１７】
図１６に示すように、プロファイルリストテーブルは、プロファイルＮｏ.と、プロファイル名称と、用紙情報と、各種調整値との対応関係を規定する。各種調整値は、印刷（画像形成）に関わる各種動作部の調整値である。例えば、プロファイルＮｏ.「５６」は、プリファイル名称が「〇〇会社楽譜」であり、用紙情報は、「名称」がＯＫトップ、「紙種」が普通（紙）、「坪量設定値」が６５−７５（ｇ／ｍ２）である。
【０１１８】
本実施形態では、メディアセンサーＭＳにより用紙Ｓの特性値を測定し、測定した特性値、及び特性値に対応付けられた用紙情報を、プロファイルとして登録すると、そのプロファイルＮｏ.と、プロファイル名称と、用紙情報と、各種調整値が、プロファイルリストテーブルに追加される。
【０１１９】
図１１に示す参考値選択画面１００において、各プロファイルＮｏ.が表示された欄（エリア）を押下すると、コントローラー３５は、プロファイルリストテーブルを参照して、押下されたプロファイルＮｏ.に対応するプロファイル名称、用紙情報、及び各種調整値を得る。そして、表示制御部３５８は、プロファイルＮｏ.と、それに対応するプロファイル名称、用紙情報、及び各種調整値を表示部１４ａに表示させる。これにより、ユーザーは、プロファイルに関わる情報を確認することができる。
【０１２０】
［まとめ］
上述した一実施形態に係る画像形成装置１は、用紙Ｓに画像を形成する画像形成部３０と、用紙Ｓの特性を表す特性値を測定し、その特性値を測定値として得るメディアセンサーＭＳ（測定器）を備える。さらに、画像形成装置１は、測定値に基づいて、又は、ユーザーからの指示に基づいて、測定値と比較するための参考値を決定する参考値決定部３５５と、測定値と参考値とを表示する表示部１４ａとを備える。これにより、ユーザーは、メディアセンサーＭＳにより測定した用紙Ｓの測定値と参考値を比べて、測定値が適正（妥当）か否かを判断することができ、安心してメディアセンサーＭＳのセンシング機能を使用することができる。また、測定値の適正（妥当性）を判断する際のユーザーの理解や納得性を高めることができる。
【０１２１】
また、上述した一実施形態に係る画像形成装置１は、複数の用紙Ｓの特性値と、当該複数の用紙の特性値にそれぞれ対応付けられた用紙情報を保存する用紙データ保存部３５４を備える。そして、参考値決定部３５５は、用紙データ保存部３５４に保存された複数の用紙の特性値から適切なものを参考値として決定する。このように、参考値の候補となる特性値を保存することにより、複数の特性値から参考値を選択することができる。その結果、ユーザーの判断に役立つ参考値を決定することが可能になる。
【０１２２】
また、上述した一実施形態に係る用紙データ保存部３５４は、複数の用紙の特性値に、ジョブの履歴と用紙プロファイルをそれぞれ対応付けて保存する。これにより、測定値の適正を判断する際のユーザーの理解や納得性を高めることができる。
【０１２３】
また、上述した一実施形態に係る用紙データ保存部３５４は、複数の用紙の特性値に、ジョブの履歴をそれぞれ対応付けて保存し、参考値決定部３５５は、ジョブの履歴が最も新しいものが対応付けられた用紙の特性値を、参考値として決定する（図１４参照）。ジョブの履歴が最も新しいものは、ユーザーの記憶に残っている可能性が高い。したがって、
測定値の適正を判断する際のユーザーの理解や納得性を高めることができる。
【０１２４】
また、上述した一実施形態に係る参考値決定部３５５は、用紙データ保存部３５４に保存された複数の用紙の特性値のうち、ユーザーが選択した用紙の特性値を、参考値として決定する（図１２参照）。これにより、ユーザーが測定値と比べたい参考値を選択することで、測定値の適正を判断する際のユーザーの理解や納得性を高めることができる。
【０１２５】
また、上述した一実施形態に係るメディアセンサーＭＳ（用紙情報決定部）は、測定値に対応する用紙情報（「名称」、「紙種」、「坪量設定値」）を決定する。そして、参考値決定部３５５は、用紙データ保存部３５４に保存された複数の用紙の特性値のうち、メディアセンサーＭＳ（用紙情報決定部）により決定された用紙情報と同じ用紙情報が対応付けられた特性値を、参考値として決定する（図１３参照）。これにより、用紙情報が同じ特性値同士（測定値と参考値）を比べることができ、測定値の適正を判断する際のユーザーの理解や納得性を高めることができる。
【０１２６】
なお、本発明に係る用紙情報決定部は、メディアセンサーＭＳに限定されず、コントローラー３５であってもよい。この場合は、コントローラー３５が、メディアセンサーＭＳにより測定された特性値に基づいて、用紙情報を決定する。
【０１２７】
また、上述した一実施形態に係る参考値決定部３５５は、用紙データ保存部３５４に保存された複数の用紙の特性値のうち、測定値に最も近いものを参考値として決定する（図６参照）。これにより、測定値の適正を判断する際のユーザーの理解や納得性を高めることができる。
【０１２８】
また、上述した一実施形態に係る参考値決定部３５５は、用紙データ保存部３５４に保存された複数の用紙の特性値から２以上の特性値を選択し、参考値を２以上決定する。これにより、測定値の比較対照が多くなるため、ユーザーの判断材料が増え、測定値の適正を判断する際のユーザーの理解や納得性を高めることができる。
【０１２９】
また、上述した一実施形態に係る用紙Ｓの特性は、複数種類あり、参考値決定部３５５は、用紙データ保存部３５４に保存された複数の用紙の特性値のうち、特性の種類毎に最も近いものをそれぞれ選択し、複数の参考値として決定する（図８〜図１０参照）。これにより、測定値の比較対照が多くなるため、ユーザーの判断材料が増え、測定値の適正を判断する際のユーザーの理解や納得性を高めることができる。
【０１３０】
また、上述した一実施形態に係る参考値決定部３５５は、用紙データ保存部３５４に保存された複数の用紙の特性値のうち、測定値よりも大きく、且つ、最も近いものと、測定値よりも小さく、且つ、最も近いものを選択し、複数の参考値として決定する。これにより、測定値の比較対照が多くなるため、ユーザーの判断材料が増え、測定値の適正を判断する際のユーザーの理解や納得性を高めることができる。
【０１３１】
また、上述した一実施形態に係る表示部１４ａは、測定値及び参考値を視覚的に表現した図（レーダーチャート）として表示する。これにより、測定値と参考値を視覚的に比べることができ、測定値の適正を判断する際のユーザーの理解や納得性を高めることができる。
【０１３２】
本発明は上述した実施形態例に限られるものではなく、特許請求の範囲に記載した本発明の要旨を逸脱しない限りにおいて、その他種々の応用例、変形例を取り得ることは勿論である。また、上述した実施形態例は、本発明を分かりやすく説明するために詳細に説明したものであり、必ずしも説明した全ての構成を備えるものに限定されるものではない。
【０１３３】
例えば、上述した実施形態例は本発明を分かりやすく説明するために画像形成装置の構成を詳細かつ具体的に説明したものであり、必ずしも説明した全ての構成要素を備えるものに限定されない。また、ある実施形態例の構成の一部を他の実施形態例の構成要素に置き換えることは可能である。また、ある実施形態例の構成に他の実施形態例の構成要素を加えることも可能である。また、各実施形態例の構成の一部について、他の構成要素の追加、削除、置換をすることも可能である。
【０１３４】
また、上記の各構成、機能、処理部等は、それらの一部又は全部を、例えば集積回路で設計するなどによりハードウェアで実現してもよい。
【０１３５】
また、上述した実施形態では、測定値及び参考値のレーダーチャートを表示する構成にした。しかし、本発明に係る測定値及び参考値を視覚的に表現した図としては、レーダーチャートに限定されず、例えば、特性の種類を軸にした多次元グラフ上に測定値及び参考値をプロットして表示してもよい。
【０１３６】
また、上述した実施形態では、インジケーターやレーダーチャートを表示する構成にしたが、これらインジケーターやレーダーチャートに各種特性値を挿入して表示してもよい。また、上述した実施形態では、測定値及び参考値の表を表示する構成にした。しかし、本発明に係る測定値及び参考値としては、視覚的に表現した図のみで表してもよい。また、その場合に、測定値及び参考値を数値で表さなくてもよい。
【０１３７】
また、上述した実施形態では、用紙設定参考値ボタン８３を押下した場合に、参考値決定部３５５が、特性値リストテーブルに保存された複数の特性値のうち、測定値と用紙種類及び坪量設定値が同一のものを参考値として決定した。しかし、本発明に係る参考値決定部としては、特性値リストテーブルに保存された複数の特性値のうち、測定値と用紙種類が同一のもの、又は測定値と坪量設定値が同じものを参考値として決定してもよい。また、本発明に係る参考値決定部としては、ジョブ履歴リストテーブルを参照してユーザーの使用頻度が高い用紙の特性値を参考値として決定してもよい。
【０１３８】
また、上述した実施形態では、特性値を測定した用紙Ｓを使用するジョブが出力されると、測定した用紙Ｓ特性値とその用紙情報が、特性値リストテーブルに追加される構成にした。しかし、本発明に係る特性値リストテーブルとしては、予め特性値とその用紙情報が保存されているものであってもよい。
【０１３９】
また、上述した実施形態では、ＵＳＢなどの通信媒体を介して画像形成装置本体１０と相互に通信可能に接続されたオフラインメディアセンサーを測定器として用いた。しかし、本発明に係る測定器としては、用紙を搬送する搬送系に配置されるインラインメディアセンサーを用いてもよい。
【０１４０】
また、上述した実施形態では、特性の種類として「坪量」、「平滑度」、「紙厚」を例に挙げて説明した。しかし、本発明に係る特性の種類（測定する特性値）としては、例えば、「透気度」、「白色度」、「不透明度」、「光沢度」等のその他の特性であってもよい。
【符号の説明】
【０１４１】
１・・・画像形成装置、  １０・・・画像形成装置本体、  １１・・・自動原稿給送装置、  １２・・・原稿読取部、  １３・・・プラテンガラス、  １４・・・操作表示パネル、  １４ａ・・・表示部、  １４ｂ・・・操作部、  １７・・・ＨＤＤ、  ２０（２０ａ，２０ｂ）・・・給紙トレイ、  ３０・・・画像形成部、  ３２・・・中間転写ベルト、  ３３・・・２次転写部、  ３４・・・定着部、  ３５・・・コントローラー、  ３５ａ・・・ＣＰＵ、  ３５ｂ・・・ＲＯＭ、  ３５ｃ・・・ＲＡＭ、  ４０・・・大容量給紙ユニット、  ５０・・・後処理ユニット、  ６０・・・基本画面、  ６１・・・用紙設定ボタン、  ６２・・・自動用紙設定ボタン、  ７０・・・自動用紙設定画面、  ７１・・・ＯＫボタン、  ７２・・・測定値結果ボタン、  ８０・・・特性値表示画面、  ８１・・・個別参考値表示ボタン、  ８２・・・参考値ユーザー指定ボタン、  ８３・・・用紙設定参考値ボタン、  ８４・・・前回ジョブボタン、  ９０Ａ，９０Ｂ，９０Ｃ・・・個別参考値表示画面、  １００・・・参考値選択画面、  １０１・・・ＯＫボタン、  １０２・・・戻るボタン、  １１０・・・選択参考値表示画面、  １２０・・・用紙設定参考値表示画面、  １３０・・・前回ジョブ参考値表示画面、  ３５１・・・画像生成部、  ３５２・・・通信制御部、  ３５３・・・用紙情報指示部、  ３５４・・・用紙データ保存部、  ３５５・・・参考値決定部、  ３５６・・・トレイ情報保存部、  ３５７・・・ジョブ履歴保存部、  ３５８・・・表示制御部、  ３５９・・・印刷制御部
【図１】
2020123835.tif 000004
【図２】
2020123835.tif 000005
【図３】
2020123835.tif 000006
【図４】
2020123835.tif 000007
【図５】
2020123835.tif 000008
【図６】
2020123835.tif 000009
【図７】
2020123835.tif 000010
【図８】
2020123835.tif 000011
【図９】
2020123835.tif 000012
【図１０】
2020123835.tif 000013
【図１１】
2020123835.tif 000014
【図１２】
2020123835.tif 000015
【図１３】
2020123835.tif 000016
【図１４】
2020123835.tif 000017
【図１５】
2020123835.tif 000018
【図１６】
2020123835.tif 000019